(57)【要約】【課題】吸収性物品と着用者の肌との間に滞留する湿気を効率よく速やかに排出することができ、快適に着用することができる吸収性物品を提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、シート材７０からなり、外部から仕切られた中空管状の排気経路６０を形成する隔壁６２と、を備え、隔壁６２は、吸収体２２の前後端部に向かって吸収体２２の両側に左右一対配置され、隔壁６２の頂部側には、吸収体２２の前後端部に向かって伸張状態の起立用伸縮材６４が固定され、隔壁６２は、その内向面に、一対の隔壁６２によって挟まれた空間に向かって開口する第１の孔６６が形成されるとともに、前後少なくとも一方の端部に第２の孔６８が形成されている吸収性物品１Ａ。【選択図】図１Ｂ
2010004949.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、シート材からなり、外部から仕切られた中空管状の排気経路を形成する隔壁と、を備え、
前記隔壁は、前記吸収体の前後端部に向かって前記吸収体の両側に左右一対配置され、
前記隔壁の頂部側には、前記吸収体の前後端部に向かって伸張状態の起立用伸縮材が固定され、
前記隔壁は、その内向面に、前記一対の隔壁によって挟まれた空間に向かって開口する第１の孔が形成されるとともに、前後少なくとも一方の端部に第２の孔が形成されている吸収性物品。
【請求項２】
前記隔壁は、その前後方向中央部に前記第１の孔が複数形成されたものである請求項１に記載の吸収性物品。
【請求項３】
前記隔壁は、軌跡が凸形状のスリット又は交差する複数本のスリットによって前記第１の孔が形成されている請求項１又は２に記載の吸収性物品。
【請求項４】
前記隔壁は、前記第２の孔が前後少なくとも一方の端部における下向面に、前記トップシートに向かって開口するように形成されたものである請求項１〜３のいずれか一項に記載の吸収性物品。
【請求項５】
前記隔壁は、少なくともその外向面が、撥水性材料又は液不透過性材料で形成されたものである請求項１〜４のいずれか一項に記載の吸収性物品。
【請求項６】
前記隔壁は、複数枚のシート材からなり、
その複数枚のシート材が、少なくとも隔壁の頂部において相互に積層されて積層部が形成され、前記積層部の層間に、前記起立用伸縮材が伸張状態で固定されている請求項１〜５のいずれか一項に記載の吸収性物品。
【請求項７】
前記隔壁は一枚のシート材からなり、
その一枚のシートの縁部が折り返されて折り返し部が形成され、前記折り返し部の内部に前記起立用伸縮材が伸張状態で固定されている請求項１〜５のいずれか一項に記載の吸収性物品。
【請求項８】
前記隔壁は、その外向面を構成する一のシート材と、その内向面を構成する他のシート材とからなり、
前記一のシート材は、その上端縁側が折り返されて折り返し部が形成され、前記折り返し部の内部に前記起立用伸縮材が伸張状態で固定されており、
前記他のシート材は、その上端縁が、前記一のシートの下端縁と前記折り返し部との間に固定されている請求項１〜５のいずれか一項に記載の吸収性物品。
【発明の詳細な説明】
【技術分野】
【０００１】
本発明は、吸収体、トップシート及びバックシートを備えた吸収性物品に関するものである。より具体的には、吸収性物品と着用者の肌との間に滞留する湿気を外部に排出する排気機構を備えた吸収性物品に関するものである。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、排泄物はトップシートの液透過性部分を透過して吸収体に吸収・保持される。そして、吸収体の裏面側に配置された液不透過性のバックシートによって、排泄物が外部に漏洩することが防止される。
【０００４】
ところで、吸収性物品の着用時には、尿や汗、体液等から発生する湿気が吸収性物品と着用者の肌との間に滞留し易い。この湿気は、かぶれ等のスキントラブルの原因となり、蒸れ、べたつき等の不快感を生じさせるため好ましくない。
【０００５】
そこで、吸収性物品と着用者の肌との間の空間に滞留する湿気を外部に排出し、吸収性物品内部の湿度を低下させるために、種々の提案がなされている。例えば、多数の微細孔が形成されたフィルムを用いたバックシート材や防漏シート等が提案されている（特許文献１及び２参照）。また、トップシートと吸収体の間に、吸湿剤が密封された吸湿剤封入体を配した吸収性物品も提案されている（特許文献３参照）。
【０００６】
【特許文献１】特開平１１−３４８１６３号公報
【特許文献２】特開２００７−０２０６６４号公報
【特許文献３】特開２００３−１１６９１２号公報
【発明の開示】
【発明が解決しようとする課題】
【０００７】
特許文献１に記載のバックシート材や特許文献２に記載の防漏シートは、フィルムに形成された多数の微細孔によって、漏れを防止しつつ透湿性を向上させることが可能であり、吸収性物品と着用者の肌との間の湿気をある程度排出することができる。しかしながら、これらの発明はバックシート材等の本来的な性能である防漏性を確保した上で、透湿性を改善するものに留まる。従って、透湿性の向上には自ずと限界があり、吸収性物品と着用者の肌との間に滞留する湿気を効率よく排出可能なものではないというのが現状であった。
【０００８】
また、特許文献３に記載の吸収性物品は、吸湿剤を用いて湿気を吸収させることによって、吸収性物品と着用者の肌との間の湿度を低下させることを期待できる。しかしながら、吸湿剤により湿気を吸収する方法では、速やかに湿気を除去することができないという点で解決すべき課題を残すものであった。
【０００９】
本発明は、吸収性物品と着用者の肌との間に滞留する湿気を効率よく速やかに排出することができ、快適に着用することができる吸収性物品を提供するものである。
【課題を解決するための手段】
【００１０】
本発明者は、前記のような従来技術の課題を解決するために鋭意検討した結果、シート材からなる隔壁によって中空管状の排気経路を形成し、着用者の動作に伴う排気経路の変形を用いたポンプ類似の排気機構で、吸収性物品と着用者の肌との間に滞留する湿気を吸収性物品の外部に積極的に排出することによって、上記課題が解決されることに想到し、本発明を完成させた。具体的には、本発明により、以下の吸収性物品が提供される。
【００１１】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、シート材からなり、外部から仕切られた中空管状の排気経路を形成する隔壁と、を備え、前記隔壁は、前記吸収体の前後端部に向かって前記吸収体の両側に左右一対配置され、前記隔壁の頂部側には、前記吸収体の前後端部に向かって伸張状態の起立用伸縮材が固定され、前記隔壁は、その内向面に、前記一対の隔壁によって挟まれた空間に向かって開口する第１の孔が形成されるとともに、前後少なくとも一方の端部に第２の孔が形成されている吸収性物品。
【００１２】
［２］  前記隔壁は、その前後方向中央部に前記第１の孔が複数形成されたものである前記［１］に記載の吸収性物品。
【００１３】
［３］  前記隔壁は、軌跡が凸形状のスリット又は交差する複数本のスリットによって前記第１の孔が形成されている前記［１］又は［２］に記載の吸収性物品。
【００１４】
［４］  前記隔壁は、前記第２の孔が前後少なくとも一方の端部における下向面に、前記トップシートに向かって開口するように形成されたものである前記［１］〜［３］のいずれかに記載の吸収性物品。
【００１５】
［５］  前記隔壁は、少なくともその外向面が、撥水性材料又は液不透過性材料で形成されたものである前記［１］〜［４］のいずれかに記載の吸収性物品。
【００１６】
［６］  前記隔壁は、複数枚のシート材からなり、その複数枚のシート材が、少なくとも隔壁の頂部において相互に積層されて積層部が形成され、前記積層部の層間に、前記起立用伸縮材が伸張状態で固定されている前記［１］〜［５］のいずれかに記載の吸収性物品。
【００１７】
［７］  前記隔壁は一枚のシート材からなり、その一枚のシートの縁部が折り返されて折り返し部が形成され、前記折り返し部の内部に前記起立用伸縮材が伸張状態で固定されている前記［１］〜［５］のいずれかに記載の吸収性物品。
【００１８】
［８］  前記隔壁は、その外向面を構成する一のシート材と、その内向面を構成する他のシート材とからなり、前記一のシート材は、その上端縁側が折り返されて折り返し部が形成され、前記折り返し部の内部に前記起立用伸縮材が伸張状態で固定されており、前記他のシート材は、その上端縁が、前記一のシートの下端縁と前記折り返し部との間に固定されている前記［１］〜［５］のいずれかに記載の吸収性物品。
【発明の効果】
【００１９】
本発明の吸収性物品は、吸収性物品と着用者の肌との間に滞留する湿気を効率よく速やかに排出することができ、快適に着用することができる。
【発明を実施するための最良の形態】
【００２０】
以下、本発明の吸収性物品を実施するための最良の形態について、テープ型使い捨ておむつの例により具体的に説明する。但し、本発明はその発明特定事項を備える吸収性物品（例えば、パンツ型使い捨ておむつ、尿パッド等）を広く包含するものであり、以下の実施形態に限定されるものではない。
【００２１】
なお、作図の都合上、図１Ａ及び図３Ａにおいては、起立用伸縮材を捨象した形で作図を行った。
【００２２】
［１］定義等：
「テープ型使い捨ておむつ」とは、図１Ａ及び図１Ｂに示す吸収性物品１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味するものとする。
【００２３】
「前身頃」とは、図１Ａに示す吸収性物品１Ａのように、着用者に吸収性物品を装着した際に、着用者の腹側（身体前方）を覆う部分（図中、符号２）、「股下部」とは、着用者に吸収性物品を装着した際に、着用者の股下を覆う部分（図中、符号４）、「後身頃」とは、着用者に吸収性物品を装着した際に、着用者の背側（身体後方）を覆う部分を意味するものとする（図中、符号６）。
【００２４】
［２］本発明の吸収性物品の構成：
本発明の吸収性物品は、図１Ａ〜図１Ｃに示す吸収性物品１Ａのように、シート材７０，７６からなり、外部から仕切られた中空管状の排気経路６０を形成する隔壁６２を備え、隔壁６２は、吸収体２２の前後端部に向かって吸収体２２の両側に左右一対配置され、隔壁６２の頂部側には、吸収体２２の前後端部に向かって伸張状態の起立用伸縮材６４が固定され、隔壁６２は、その内向面に、一対の隔壁６２ａ，６２ｂによって挟まれた空間に向かって開口する第１の孔６６が形成されるとともに、前後少なくとも一方の端部に第２の孔６８が形成されているものである。
【００２５】
このような構成では、尿や体液から発生し、吸収性物品（主としてトップシート１８）と着用者の肌との間に滞留する湿気が、第１の孔６６から吸気され、排気経路６０を通過して第２の孔６８から排出される。また、シート材７０，７６によって形成された隔壁６２は着用者の動作によって容易に変形するので、ポンプ類似の排気機構で前記湿気を積極的に吸収性物品１Ａの外部に排気することもできる。即ち、着用者の動作によって潰れた隔壁６２が元の形状に戻る際にトップシート１８等と着用者の肌との間に滞留する湿気が第１の孔６６から排気経路６０内に吸気され、再度、着用者の動作によって潰れる際に第２の孔６８から排出される。
【００２６】
このような排気機構を用いれば、微多孔性のバックシートを用いた場合よりも湿気の排出量を大きくすることができ、吸収性物品と着用者の肌との間に滞留する湿気を効率よく速やかに排出することが可能となる。従って、かぶれ等のスキントラブルや、蒸れ、べたつき等の不快感を生ずることが少なく、快適に着用することができる。
【００２７】
図１Ａ及び図１Ｂに示すように、隔壁６２は、シート材７０，７６からなり、外部から仕切られた中空管状の排気経路６０を形成する部材である。
【００２８】
「シート材」は、前記排気機構を機能させるため、変形容易なシート材であることが好ましい。また、撥水性材料や液不透過性材料からなるシート材で構成すれば、立体ギャザーと同様の効果を付与することも可能である。このようなシート材としては、カードエンボス、スパンボンド等の製法により製造された不織布や、防水性の高いＳＭＳ、ＳＭＭＳ等の不織布シート、ポリエチレン等の樹脂からなる液不透過性フィルム等を挙げることができる。また、部分的に、孔空き不織布を使用することもできる。
【００２９】
隔壁は、外部から仕切られた中空管状の排気経路を形成するものであれば足りる。例えば、図１Ｂに示す吸収性物品１Ａは、隔壁６２がサイドシート１９と一体的に構成されたシート材７０と、これとは別体のシート材７６とによって外部から仕切られた断面紡錘状の排気経路６０が形成されている。なお、排気経路は、隔壁のみによって形成されている必要はない。例えば、図３Ｂに示す吸収性物品１Ｂは、隔壁６２とトップシート１８によって外部から仕切られた断面三角形状の排気経路６０が形成されている。
【００３０】
図１Ａに示すように、隔壁６２は、吸収体２２の前後端部に向かって吸収体２２の両側に左右一対配置される（図中、符号６２ａ，６２ｂ）。前記排気機構を機能させるためには、着用者の動作によって隔壁（ひいては排気経路）を変形させることが好ましい。従って、着用者の動作が大きい脚周りに近い部分、具体的には、吸収体の両側に配置することで、前記排気機構を良好に機能させることができる。また、吸収体の両側に左右一対配置することにより、隔壁に立体ギャザー的な機能を付与することも可能となる。
【００３１】
図１Ａ及び図１Ｂに示すように、隔壁６２の頂部側には、吸収体２２の前後端部に向かって伸張状態の起立用伸縮材６４が固定されている。この起立用伸縮材の収縮力によって、隔壁が立体的に起立し、排気経路の中空管状構造が維持される。また、変形容易なシート材と起立用伸縮材によって形成される排気経路は力を加えれば自在に変形し、力が加わらない状態では元の形状に戻る。従って、ポンプ類似の排気機構を良好に機能させることができる。起立用伸縮材の種類、配置方法等は、後述する脚周り伸縮材等に準ずる構成とすればよい。
【００３２】
図１Ｂに示すように、隔壁６２は、その内向面に、一対の隔壁６２ａ，６２ｂによって挟まれた空間に向かって開口する第１の孔６６が形成されている。この第１の孔６６から湿気が取り込まれ、排気経路６０、第２の孔６８を経由して吸収性物品１Ａの前後端部から湿気が排出される。
【００３３】
「内向面」とは、隔壁を形成する面のうち、他の隔壁と対向する面を意味する。「一対の隔壁によって挟まれた空間に向かって開口する」とは、吸収性物品の幅方向中央側に向かって開口していることを意味する。「開口する」とは、第１の孔が常時開口している場合のみならず、後述するようなスリットによって形成され、吸気の際のみ開口するようなものも含む。
【００３４】
図１Ａ及び図１Ｂに示すように、隔壁６２は、その前後方向中央部に第１の孔６６が複数形成されたものであることが好ましい。通常、吸収性物品は、その前後方向中央部が着用者の股下に当接するようにして用いられる。そして、その股下部には尿や体液が排泄されるとともに、前後端部より高さ位置が低いため、湿気が滞留し易い。従って、前後方向中央部に第１の孔を複数形成することによって、その湿気を吸収性物品外部に排出し易くなる。
【００３５】
「前後方向中央部」とは、隔壁の全長に対して、前端側、後端側各々３０％長さ部分を除いた中央側４０％長さの部分を意味する。「複数」の具体的な数は制限されない。第１の孔の開口面積によっても異なるが、孔１個当たり開口面積が０．５〜１０ｍｍ２であれば、５〜２００個形成することが好ましく、１０〜１００個形成することが更に好ましい。５個以上とすることで、排気機能を確保することができる。一方、２００個以下とすることで尿や体液が排気経路に流入することを有効に防止することができる。
【００３６】
図２Ａ及び図２Ｂに示すように、隔壁６２は、軌跡が凸形状のスリット７４Ａ，７４Ｂ又は交差する複数本のスリット７４Ｃ，７４Ｄによって第１の孔６６が形成されていることが好ましい。第１の孔を単なる開口部とするのではなく、前記スリット７４Ａ〜７４Ｄによって形成することで、極めて容易に第１の孔６６に弁的に機能する舌片７２Ａ〜７２Ｄを付設することができる。前記舌片により、排気経路に尿や体液が侵入することを抑制しつつ、湿気を通過させることができる。
【００３７】
スリットの形態は特に限定されないが、「軌跡が凸形状のスリット」としては、図２Ａに示すような、ａ）湾曲部を有するスリット７４Ａ、ｂ）屈曲部を有するスリット７４Ｂ等を挙げることができる。また、「交差する複数本のスリット」としては、図２Ａに示すような、ｃ）二本のスリットが交差する十字状のスリット７４Ｃ、ｄ）３本のスリットが交差する星型のスリット７４Ｄ等を挙げることができる。
【００３８】
図２Ａ及び図２Ｂに示すように、スリット７４Ａにより、紡錘状の舌片７２Ａ及び紡錘状の第１の孔６６Ａを形成することができ、スリット７４Ｂにより、三角形状の舌片７２Ｂ及び三角形状の第１の孔６６Ｂを形成することができる。また、スリット７４Ｃにより、三角形状の舌片７２Ｃ及び矩形状の第１の孔６６Ｃを形成することができ、スリット７４Ｄにより、三角形状の舌片７２Ｄ及び六角形状の第１の孔６６Ｄを形成することができる。
【００３９】
本発明の吸収性物品は、図１Ａ及び図１Ｃに示すように、隔壁６２の前後少なくとも一方の端部に第２の孔６８が形成されている。隔壁、ひいては吸収性物品の前後少なくとも一方の端部に第２の孔を形成することで、排気経路を経由して送気された湿気を吸収性物品の前後いずれか一方或いは双方の端部から排出させることができる。
【００４０】
図１Ａ及び図１Ｃに示すように、隔壁６２は、その前後方向端部に第２の孔６８が複数形成されたものであることが好ましい。こうすることにより、吸収性物品のウエスト周りから湿気を排出し易くなる。
【００４１】
「前後方向端部」とは、隔壁の全長に対して、中央側４０％長さの部分を除いた前端側、後端側各々３０％長さ部分を意味する。「複数」の具体的な数は制限されない。第２の孔の開口面積によっても異なるが、孔１個当たり開口面積が０．５〜１０ｍｍ２であれば、５〜１５０個形成することが好ましく、１０〜１００個形成することが更に好ましい。５個以上とすることで、排気機能を確保することができる。一方、１５０個以下とすることで尿や体液がウエスト周りから漏れる事態を有効に防止することができる。
【００４２】
また、本発明の吸収性物品においては、図１Ｃに示すように、隔壁６２の第２の孔６８が前後少なくとも一方の端部における下向面に、トップシート１８に向かって開口するように形成されたものであることが好ましい。第２の孔を下向きに形成することで、たとえ排気経路に尿や体液が流入した場合でも、それらをトップシート上に排出し、吸収体に吸収させることができる。従って、吸収性物品の前後端部からの漏れを有効に防止することができる。隔壁の前後端部は、排気経路を平面的に押し潰すような形で接着剤等により端部止めがなされるため、隔壁の一部に下向面が形成される。
【００４３】
更に、本発明の吸収性物品では、隔壁は、少なくともその外向面が撥水性材料又は液不透過性材料で形成されたものであることが好ましい。少なくとも外向面を撥水性材料等で構成することで、たとえ排気経路に尿や体液が流入した場合でも、隔壁の外向面で尿や体液がブロックされ、吸収性物品外部への漏れを防止することができる。
【００４４】
更にまた、本発明の吸収性物品においては、図１Ｂに示すように、隔壁６２は、複数枚のシート材７０，７６からなり、その複数枚のシート材７０，７６が、少なくとも隔壁６２の頂部において相互に積層されて積層部が形成され、その積層部の層間に、起立用伸縮材６４が伸張状態で固定されていることが好ましい。このような構造とすることで、隔壁を着用者の肌に十分フィットさせることができ、着用者の脚部の動作をロスなく隔壁（ひいては排気経路）の変形に利用することができる。従って、排気経路の圧縮・復元を活発に行わせることができ、湿気の排気性を向上させることができる。
【００４５】
図１Ｂに示すような隔壁６２は、例えば、図１Ｄに示すような方法で作製することができる。まず、（ａ）図に示すように、シート材７０とシート材７６を一部が重なり合うように貼り合わせる。この際、シート材７０，７６の層間には伸張状態の起立用伸縮材６４を挟み込んで固定する。また、剥離防止のため、シート材７０，７６の積層部にヒートシールによって接合部８２を形成する。その後、シート材７０のみからなる部分に第１の孔６６を形成示、起立用伸縮材６４の配置部分と接合部８２との間の部分で折り畳む。
【００４６】
次いで、（ｂ）図に示すように、シート材７０の縁部に接着剤８４を塗工し、起立用伸縮材６４の配置部分と第１の孔６６との間の部分で折り畳む。更に、（ｃ）図に示すように、接着剤８４により、シート材７０同士を貼り合わせ、隔壁６２及び排気経路６０を形成する。この部材を接着剤等により吸収性物品本体に貼り合わせることで、図１Ｂに示す吸収性物品１Ａのような吸収性物品が得られる。
【００４７】
この際、接着剤８４及びトップシート１８とシート材７０とを接着する接着剤は隔壁６２が剥離しない限度において幅狭く塗工されていることが好ましい。シート材７０とトップシート１８との接着部及び接着剤８４によって形成されるシート材７０同士の接着部を幅狭く形成することで、隔壁６２が接着部に拘束されることなく、起立用伸縮材６４によって十分に立ち上がり、隔壁６２の有する排気効果が向上する。
【００４８】
また、本発明の吸収性物品においては、隔壁が一枚のシート材からなり、その一枚のシートの縁部が折り返されて折り返し部が形成され、その折り返し部の内部に起立用伸縮材が伸張状態で固定されているものも好ましい。
【００４９】
即ち、図１Ｂに示す吸収性物品１Ａでは、２枚のシート材７０，７６によって隔壁６２を形成しているが、シート材７６を用いずに１枚のシート材７０によって隔壁６２を形成することもできる。具体的には、シート材７０を隔壁６２の底部に当たる部分で折り返して折り返し部を形成し、その折り返し部の内部に起立用伸縮材を伸張状態で固定すればよい。こうすることにより、１枚のシート材のみによって、図１Ｂに示す吸収性物品１Ａと同様の効果を奏する隔壁を形成することができる。
【００５０】
更に、本発明の吸収性物品は、図２Ａに示す吸収性物品１Ｂのように、隔壁６２は、その外向面を構成する一のシート材７８と、その内向面を構成する他のシート材８０とからなり、一のシート材７８は、その上端縁側が折り返されて折り返し部が形成され、その折り返し部の内部に起立用伸縮材６４が伸張状態で固定されており、他のシート材８０は、その上端縁が、一のシート材７８の下端縁と折り返し部との間に固定されていることが好ましい。
【００５１】
前記のような構造も、隔壁を着用者の肌に十分フィットさせることができ、着用者の脚部の動作をロスなく隔壁（ひいては排気経路）の変形に利用することができる。従って、図１Ｂに示す形態と同様に、排気経路の圧縮・復元を活発に行わせることができ、湿気の排気性を向上させることができる。また、シート材７８によって構成される外向面は、立体ギャザー類似の構造であるため、図１Ｂに示す形態よりも簡便に形成することができる。
【００５２】
図２Ａに示す吸収性物品１Ｂは、サイドシート１９と一体的に形成されたシート材７８によって隔壁６２の外向面を構成し、これとは別体のシート材８０によって隔壁６２の内向面を構成した例である。この例では、シート材７８，８０及びトップシート１８によって区画された排気経路６０が形成されている。
【００５３】
［３］吸収性物品の構成部材：
本発明の吸収性物品は、図１Ａ〜図１Ｃに示す吸収性物品１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０とを備えるものである。
【００５４】
［３−１］吸収体：
「吸収体」は、着用者の尿等を吸収し、保持するための部材であり、吸収性材料によって構成される。
【００５５】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００５６】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００５７】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟みこまれ、両シートと一体化された状態で用いられる。
【００５８】
［３−２］トップシート：
トップシートは、着用者の尿等を透過させる必要から、その少なくとも一部（全部又は一部）が液透過性材料により構成される。
【００５９】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６０】
「不織布」としては、エアースルー（カード熱風）、カードエンボス等の製法によって製造された不織布を好適に用いることができる。「親水化処理」は、界面活性剤を塗布、スプレー、含浸等させることにより行うことができる。
【００６１】
トップシートは、「少なくとも一部」、具体的には、トップシートを平面的に見た場合に、少なくとも吸収体の表面近傍は液透過性材料により構成されていることが好ましい。
【００６２】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００６３】
例えば、図１Ａ〜図１Ｃに示す吸収性物品１Ａは、テープ型使い捨ておむつであり、おむつの幅方向中央部には液透過性材料からなるトップシート１８を配置し、おむつのサイドフラップ部分には液の透過に対して抵抗性を示す通気撥水性材料からなるサイドシート１９を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００６４】
［３−３］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００６５】
バックシートの配置位置については特に制限はない。吸収体で吸収された尿の漏れを防止するという観点から、少なくとも吸収体の存在する部分にバックシートが配置されていることが好ましい。
【００６６】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６７】
なお、図１Ｂに示すように、バックシート２０の外表面側にカバーシート２４を貼り合わせてもよい。このカバーシートは、バックシートを補強し、バックシートの手触り（触感）を良好なものとするために用いられる。
【００６８】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００６９】
［３−４］立体ギャザー：
本発明の吸収性物品は、撥水性シートからなり、吸収体の両側に配置された少なくとも一対の立体ギャザーを備えていることが好ましい。既に述べたように、本発明においては、隔壁を撥水性材料又は液不透過性材料で形成することにより、隔壁に立体ギャザー的な機能を付与することもできる。但し、隔壁とは別に、撥水性シートからなる立体ギャザーを付設することが好ましい。この立体ギャザーは、吸収体の両側縁より外側、より具体的には、一対の隔壁よりも外側に左右一対配置することが好ましい。こうすることにより、隔壁が撥水性材料や液不透過性材料で形成されていなくても、隔壁の排気通路に侵入した尿や体液が吸収性物品外部に漏れることを防止することができる。
【００７０】
立体ギャザーの構成は、従来の使い捨ておむつ、その他の吸収性物品に使用される構成を採用することができる。例えば、撥水性シートの層間に伸縮材を挟み込んで固定し、その伸縮材の収縮力によってギャザー（襞）を形成したもの等を好適に用いることができる。
【００７１】
なお、立体ギャザーは、前記のように立体ギャザー用の撥水性シートを別途付設してもよいし、おむつを構成するシート材（例えば、撥水性のサイドシート等）の一部によって形成してもよい。撥水性シートは、カードエンボス、スパンボンド等の製法により製造された不織布であってもよいが、防水性の高いＳＭＳ、ＳＭＭＳ等の不織布シートが更に好ましい。
【００７２】
［３−５］止着テープ：
本発明の吸収性物品は、図１Ａに示すように、後身頃６の左右の各側縁６ａ，６ｂから延出するように配置された、前身頃２と後身頃６とを固定するための止着テープ１１を備えていてもよい。即ち、本発明の吸収性物品には、いわゆるテープ型使い捨ておむつが含まれる。
【００７３】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００７４】
例えば、図１Ａに示す吸収性物品１Ａは、ファスニング部材として、メカニカルファスナー４６を用いた例である。止着テープ１１の先端近傍には、フック材４６ａが付設される一方、前身頃２には、ループ材４６ｂからなるフロントパッチ１３が付設されており、フロントパッチ１３に対して、止着テープ１１を止め付けることが可能なように構成されている。
【００７５】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００７６】
［３−６］各種伸縮材：
本発明の吸収性物品が使い捨ておむつである場合は、脚周り伸縮材を配置し、ウエスト周り伸縮材を配置することが好ましい。
【００７７】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００７８】
この脚周り伸縮材は、糸ゴムや平ゴム等によって構成される。そして、脚周り伸縮材は、立体ギャザーの起立線より外側の部分に配置されていることが好ましい。このような構成とすると、立体ギャザーの十分な防漏効果を確保しつつ、股下部の装用感・装着感を向上させることができる。
【００７９】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８０】
図１Ａに示す吸収性物品１Ａは、おむつの後身頃６の端縁に沿って帯状のウエスト周り伸縮材４２を配置した例である。この帯状のウエスト周り伸縮材４２は、ウレタンフォーム等の伸縮性フォームによって構成されている。図示の例では、後身頃（背側）のみにウエスト周り伸縮材４２を配置しているが、前身頃（腹側）にウエスト周り伸縮材を配置してもよい。
【００８１】
これらの伸縮材については、ギャザーの収縮の程度等を勘案した上で、構成材料、その材料の伸長率、固定時の伸長状態等を決定すればよい。
【００８２】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８３】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８４】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００８５】
［３−７］適用対象：
なお、本発明の吸収性物品は、既に説明したようなテープ型使い捨ておむつの他、パンツ型使い捨ておむつや尿パッド等の吸収性物品にも適用することができる。
【００８６】
「パンツ型使い捨ておむつ」とは、前身頃と後身頃の対応する側縁同士を接合することによって、一つのウエスト周り開口部及び一対の脚周り開口部が形成され、予めパンツ型に構成された使い捨ておむつである。中でも、吸収体が内包された吸収性本体が、一つのウエスト周り開口部及び一対の脚周り開口部が形成されたパンツ型を呈する外装シートの内部に固定された形態がよく用いられる（「２ピースタイプ」と称される）。
【００８７】
「尿パッド」とは、インナーパッド、補助パッドとも称され、専ら尿吸収を目的とする吸収パッドである。この尿パッドは、下着の内面や使い捨ておむつのトップシートの表面に載置した状態で用いられる。尿パッドは、使い捨ておむつと同様に、吸収体と、吸収体の表面を被覆するように配置されたトップシートと、吸収体の裏面を被覆するように配置されたバックシートとを備えるが、着用者の腰周りを被包する部分を持たない小型のパッド状に構成されることが一般的である。
【実施例】
【００８８】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００８９】
〔実施例１〕
実施例１の吸収性物品として、テープ型使い捨ておむつを作製した。具体的な構造は、図１Ａ〜図１Ｃに示す吸収性物品１Ａの構造とした。この吸収性物品１Ａは、乳児用Ｌサイズのものであり、前後方向長さを４８５ｍｍ、後身頃６の幅（側縁６ａ，６ｂ間の長さ）を３２５ｍｍとした。
【００９０】
吸収性物品１Ａは、ＳＭＳ不織布製のサイドシート１９の一部をなすシート材７０と、これとは別体のＳＭＳ不織布製のシート材７６によって構成した。隔壁６２の形成は、図１Ｄに示す方法で行った。シート材７０，７６は、隔壁６２の頂部及び外向面に相当する部分において相互に積層し積層部を形成した。
【００９１】
吸収性物品１Ａでは、前記積層部の層間には、隔壁６２の起立用伸縮材６４として６本の伸縮材を伸張状態で配置した。立体ギャザー伸縮材３６の固定長さは３８０ｍｍ、伸張率（伸張時長さ／非伸長時長さ×１００）は、３００％とした。
【００９２】
隔壁６２の内向面（シート材７６）には、前後方向の前端側、後端側各々３０％長さの部分を除いた中央側４０％長さの部分に、１３個×３列のパターンで３９個の第１の孔６６を形成した。各々の第１の孔６６の形状は長軸３ｍｍ、短軸２ｍｍの楕円形状とし、開口面積は４．７ｃｍ２とした。
【００９３】
隔壁６２の前後端部から３０〜８０ｍｍの部分に第２の孔６８を形成した。第２の孔６８は前後端部における下向面に、トップシート１８に向かって開口するように形成した。各々の第２の孔６８の形状は長軸６ｍｍ、短軸４ｍｍの楕円形状とし、開口面積は１８．８ｃｍ２とした。
【００９４】
隔壁６２は、吸収体２２の前後端部に向かって吸収体２２の両側に左右一対配置した。これにより、シート材７０，７６によって外部から区画された排気経路６０を形成した。この排気経路６０の最大断面積は１．５ｃｍ２であった。
【００９５】
〔実施例２〕
実施例２の吸収性物品として、テープ型使い捨ておむつを作製した。具体的な構造は、図３Ａ〜図３Ｃに示す吸収性物品１Ｂの構造とした。この吸収性物品１Ｂは、乳児用Ｌサイズのものであり、前後方向長さを４８５ｍｍ、後身頃６の幅（側縁６ａ，６ｂ間の長さ）を３２５ｍｍとした。
【００９６】
吸収性物品１Ｂは、ＳＭＳ不織布製のサイドシート１９の一部をなすシート材７８と、これとは別体のＳＭＳ不織布製のシート材８０によって構成した。隔壁６２の形成は、従来公知の立体ギャザーの形成方法に準じて行った。
【００９７】
シート材７８は、その上端縁側を折り返して折り返し部を形成し、その折り返し部の内部に起立用伸縮材６４を伸張状態で固定した。吸収性物品１Ｂでは、前記積層部の層間に、隔壁６２の起立用伸縮材６４として左右各２本の伸縮材を伸張状態で配置した。立体ギャザー伸縮材３６の固定長さは３８０ｍｍ、伸張率（伸張時長さ／非伸長時長さ×１００）は、３００％とした。
【００９８】
シート材７８の固定端（起立端）から自由端までのシート長さは４５ｍｍとした。シート材８０は、その上端縁をシート材７８の下端縁と折り返し部との間、より具体的にはシート材７８の自由端から２０ｍｍ下がった位置に固定した。この際、シート材８０の純粋に隔壁として機能する部分（他の部材との貼り合わせ部分以外の部分）のシート長さは２０ｍｍとした。シート材７０，７６は、シート材７０の固定端とシート材７６の固定端の間に、トップシート１８の表面が１５ｍｍ幅だけ露出するように、トップシート１８に貼り合わせた。
【００９９】
隔壁６２の内向面のうちシート材８０で構成された部分には、隔壁６２の前後端部から３０〜８０ｍｍの部分に、９個×２列のパターンで１８個の第２の孔６８を形成した。各々の第２の孔６８の形状は長軸６ｍｍ、短軸４ｍｍの楕円形状とし、開口面積は１８．８ｃｍ２とした。
【０１００】
隔壁６２は、吸収体２２の前後端部に向かって吸収体２２の両側に左右一対配置した。これにより、シート材７８，８０によって外部から区画された排気経路６０を形成した。この排気経路６０の最大断面積は２．３ｃｍ２であった。
【産業上の利用可能性】
【０１０１】
本発明の吸収性物品は、乳幼児用又は介護を必要とする高齢者や障害者等の成人用の使い捨ておむつ、尿パッド等の吸収性物品に利用することができる。
【図面の簡単な説明】
【０１０２】
【図１Ａ】本発明の吸収性物品の一の実施形態を示す図であり、吸収性物品を展開し、トップシート側から見た状態を示す概略平面図である。
【図１Ｂ】図１Ａに示す吸収性物品のＸ−Ｘ’断面を示す概略断面図である。
【図１Ｃ】図１Ａに示す吸収性物品のＹ−Ｙ’断面を示す概略断面図である。
【図１Ｄ】図１Ａに示す吸収性物品の隔壁を形成する方法を示す工程図である。
【図２Ａ】本発明の吸収性物品の隔壁に形成される第１の孔の実施形態を示す概略平面図である。
【図２Ｂ】図２Ａに示す第１の孔が開孔した状態を示す概略平面図である。
【図３Ａ】本発明の吸収性物品の別の実施形態を示す図であり、吸収性物品を展開し、トップシート側から見た状態を示す概略平面図である。
【図３Ｂ】図３Ａに示す吸収性物品のＸ−Ｘ’断面を示す概略断面図である。
【図３Ｃ】図３Ａに示す吸収性物品のＹ−Ｙ’断面を示す概略断面図である。
【符号の説明】
【０１０３】
１Ａ，１Ｂ：吸収性物品、２：前身頃、４：股下部、６：後身頃、６ａ，６ｂ：側縁、１１：止着テープ、１３：フロントパッチ、１８：トップシート、１９：サイドシート、２０：バックシート、２２：吸収体、２４：カバーシート、４０：脚周り伸縮材、４２：ウエスト周り伸縮材、４４：腹周り伸縮材、４６：メカニカルファスナー、４６ａ：フック材、４６ｂ：ループ材、６０：排気経路、６２：隔壁、６４：起立用伸縮材、６６，６６Ａ，６６Ｂ，６６Ｃ，６６Ｄ：第１の孔、６８：第２の孔、７０，７６，７８，８０：シート材、７２Ａ，７２Ｂ，７２Ｃ，７２Ｄ：舌片、７４Ａ，７４Ｂ，７４Ｃ，７４Ｄ：スリット、７６：シート材、８２：接合部、８４：接着剤。
【図１Ａ】
2010004949.tif 000003
【図１Ｂ】
2010004949.tif 000004
【図１Ｃ】
2010004949.tif 000005
【図１Ｄ】
2010004949.tif 000006
【図２Ａ】
2010004949.tif 000007
【図２Ｂ】
2010004949.tif 000008
【図３Ａ】
2010004949.tif 000009
【図３Ｂ】
2010004949.tif 000010
【図３Ｃ】
2010004949.tif 000011